(57)【特許請求の範囲】
【請求項１】
短手方向の一側面又は他側面の少なくともいずれか一方に形成される山部と、当該山部に対して長手方向に連続する谷部とを具備し、当該谷部に凸部が形成される長手部材を準備する準備工程と、
前記一側面及び前記他側面が前記短手方向及び前記長手方向と直交する一方向から見て円弧状となるように、前記長手部材を変形させる変形工程と、
を具備し、
前記準備工程で準備される前記長手部材の前記山部には、
凹部が形成される、
ワッシャの製造方法。
【請求項２】
前記準備工程で準備される前記長手部材の前記凸部は、
前記谷部の底部に形成される、
請求項１に記載のワッシャの製造方法。
【請求項３】
前記準備工程で準備される前記長手部材の前記谷部は、
前記凸部と前記長手方向に隣接する部分が、前記一方向から見て弧状に形成される、
請求項１又は請求項２に記載のワッシャの製造方法。
【請求項４】
前記準備工程で準備される前記長手部材の前記凸部は、
先端部が前記一方向から見て弧状に形成される、
請求項１から請求項３までのいずれか一項に記載のワッシャの製造方法。
【請求項５】
前記準備工程で準備される前記長手部材の前記凹部は、
先端部が前記一方向から見て弧状に形成される、
請求項１に記載のワッシャの製造方法。
【請求項６】
前記準備工程で準備される前記長手部材の前記一側面又は前記他側面の少なくともいずれか一方には、
複数の前記山部及び複数の前記谷部が前記長手方向における一端部から他端部に亘って交互に連続するように形成される、
請求項１から請求項５までのいずれか一項に記載のワッシャの製造方法。
【請求項７】
前記変形工程は、
前記山部及び前記谷部が少なくとも外周側に配置されるように、前記長手部材を変形させる、
請求項１から請求項６までのいずれか一項に記載のワッシャの製造方法。
【請求項８】
前記準備工程で準備される前記長手部材の前記一側面及び前記他側面は、
前記一側面から前記他側面までの前記短手方向に沿った距離が、前記長手方向の一端部から他端部に亘って一定に形成される、
請求項１から請求項７までのいずれか一項に記載のワッシャの製造方法。
【請求項９】
前記準備工程で準備される前記長手部材は、
異なる複数の金属材料からなるバイメタル材によって構成される、
請求項１から請求項８までのいずれか一項に記載のワッシャの製造方法。
【請求項１０】
外周面又は内周面の少なくともいずれか一方の面に形成されると共に凹部が形成される山部と、
当該山部に対して周方向に連続すると共に凸部が形成される谷部と、
を具備する、
ワッシャ。
【発明の詳細な説明】
【技術分野】
【０００１】
本発明は、荷重を受けるためのワッシャの製造方法及びワッシャの技術に関する。
【背景技術】
【０００２】
従来、荷重を受けるためのワッシャは、略板状に形成される成形材料を成形用金型によって打ち抜くことで成形される。例えば、特許文献１に記載の如くである。
【０００３】
しかしながら、特許文献１に記載の技術では、成形材料を円環状に打ち抜くため、成形材料の多くが無駄になってしまう。また、例えば、成形材料を半円状に打ち抜いて、二個の半円状の部材同士を接合する場合でも、依然として多くの成形材料が無駄になってしまい、材料歩留まりを十分に向上することができるとは言い難い（図９に示すスクラップＳ９０１参照）。以上のように、従来技術においては、材料歩留まりが悪いという点で不利であった。
【先行技術文献】
【特許文献】
【０００４】
【特許文献１】特開２００１−８２４５７号公報
【発明の概要】
【発明が解決しようとする課題】
【０００５】
本発明は、以上の如き状況を鑑みてなされたものであり、その解決しようとする課題は材料歩留まりを向上することができるワッシャの製造方法及びワッシャを提供するものである。
【課題を解決するための手段】
【０００６】
本発明の解決しようとする課題は以上の如くであり、次にこの課題を解決するための手段を説明する。
【０００７】
即ち、請求項１においては、短手方向の一側面又は他側面の少なくともいずれか一方に形成される山部と、当該山部に対して長手方向に連続する谷部とを具備し、当該谷部に凸部が形成される長手部材を準備する準備工程と、前記一側面及び前記他側面が前記短手方向及び前記長手方向と直交する一方向から見て円弧状となるように、前記長手部材を変形させる変形工程と、を具備し、前記準備工程で準備される前記長手部材の前記山部には、凹部が形成されるものである。
【０００８】
請求項２においては、前記準備工程で準備される前記長手部材の前記凸部は、前記谷部の底部に形成されるものである。
【０００９】
請求項３においては、前記準備工程で準備される前記長手部材の前記谷部は、前記凸部と前記長手方向に隣接する部分が、前記一方向から見て弧状に形成されるものである。
【００１０】
請求項４においては、前記準備工程で準備される前記長手部材の前記凸部は、先端部が前記一方向から見て弧状に形成されるものである。
【００１１】
請求項５においては、前記準備工程で準備される前記長手部材の前記凹部は、先端部が前記一方向から見て弧状に形成されるものである。
【００１２】
請求項６においては、前記準備工程で準備される前記長手部材の前記一側面又は前記他側面の少なくともいずれか一方には、複数の前記山部及び複数の前記谷部が前記長手方向における一端部から他端部に亘って交互に連続するように形成されるものである。
【００１３】
請求項７においては、前記変形工程は、前記山部及び前記谷部が少なくとも外周側に配置されるように、前記長手部材を変形させるものである。
【００１４】
請求項８においては、前記準備工程で準備される前記長手部材の前記一側面及び前記他側面は、前記一側面から前記他側面までの前記短手方向に沿った距離が、前記長手方向の一端部から他端部に亘って一定に形成されるものである。
【００１５】
請求項９においては、前記準備工程で準備される前記長手部材は、異なる複数の金属材料からなるバイメタル材によって構成されるものである。
【００１６】
請求項１０においては、外周面又は内周面の少なくともいずれか一方の面に形成されると共に凹部が形成される山部と、当該山部に対して周方向に連続すると共に凸部が形成される谷部と、を具備するものである。
【発明の効果】
【００１８】
本発明の効果として、以下に示すような効果を奏する。
【００１９】
請求項１においては、材料歩留まりを向上することができる。また、山部の凹部に応力を分散させることができる。
【００２０】
請求項２においては、応力を効果的に分散させることができる。
【００２１】
請求項３においては、凸部と前記長手方向に隣接する部分に応力をバランスよく分散させることができる。
【００２２】
請求項４においては、凸部の先端部に応力をバランスよく分散させることができる。
【００２３】
請求項５においては、凹部の先端部に応力をバランスよく分散させることができる。
【００２４】
請求項６においては、摺動面積の減少を抑制しつつ、複数の谷部に応力を分散させることができる。
【００２５】
請求項７においては、潤滑性を向上することができる。
【００２６】
請求項８においては、狭い上下方向幅でより広い幅をカバーすることができる。
【００２７】
請求項９においては、金属材料が剥離することを抑制できる。
【００２８】
請求項１０においては、材料歩留まりを向上することができる。
【図面の簡単な説明】
【００３０】
【図１】本発明の一実施形態に係るワッシャの製造方法のフローチャート。
【図２】板状部材を打ち抜く様子を示す図。
【図３】準備された長手部材を示す斜視図。
【図４】（ａ）準備された長手部材を示す正面図。（ｂ）同じく、拡大正面図。
【図５】（ａ）長手部材が変形される様子を示す図。（ｂ）変形された長手部材を示す図。
【図６】製造されたワッシャを示す正面図。
【図７】（ａ）第一変形例に係る長手部材が変形される様子を示す図。（ｂ）変形された長手部材を示す図。
【図８】（ａ）第二変形例に係る長手部材を示す拡大正面図。（ｂ）第三変形例に係る長手部材を示す拡大正面図。（ｃ）第四変形例に係る長手部材を示す拡大正面図。
【図９】打ち抜かれた成形材料であるスクラップを示す図。
【発明を実施するための形態】
【００３１】
以下では、図中の矢印Ｕ、矢印Ｄ、矢印Ｆ、矢印Ｂ、矢印Ｌ及び矢印Ｒで示した方向を、それぞれ上方向、下方向、前方向、後方向、左方向及び右方向と定義して説明を行う。
【００３２】
以下では、本発明の一実施形態に係るワッシャ１０の製造方法及びワッシャ１０について説明する。
【００３３】
図６に示すワッシャ１０は、適宜荷重を受けるための部材である。ワッシャ１０は、正面視半円状（円弧状）に形成される。本実施形態に係るワッシャ１０は、前側面及び後側面に異なる金属材料を貼り合わせたバイメタル材（二種類の金属材料を貼り合わせたバイメタル材）によって構成される。ワッシャ１０の製造方法は、このようなワッシャ１０を製造するものである。
【００３４】
図１に示すように、まず、ワッシャ１０の製造方法においては、準備工程が行われる（ステップＳ１０）。準備工程は、図２に示す板状部材Ｎに加工を施して長手部材Ｎ１を準備する工程である。図２に示すように、板状部材Ｎは、その板面を前後方向に向けて配置されると共にその長手方向を左右方向に向けて配置される部材である。板状部材Ｎは、前記バイメタル材によって構成される。準備工程において、板状部材Ｎには、所定の金型によって板面が打ち抜かれる加工であるブランク加工が施される。これによって、板状部材Ｎは、複数（本実施形態では七個）の長手部材Ｎ１と二個（上下）のスクラップＳ１とに分けられる。
【００３５】
図３及び図４に示すように、準備工程で準備された長手部材Ｎ１は、その長手方向を左右方向に向けて配置される。また、長手部材Ｎ１は、その短手方向を上下方向に向けて配置される。長手部材Ｎ１は、上側山部２０、上側谷部３０、下側山部４０及び下側谷部５０を具備する。
【００３６】
上側山部２０は、長手部材Ｎ１の上側面において、上方向（短手方向）に突出するように形成される部分である。上側山部２０は、その左部及び右部が左右中途部よりも突出するような正面視略Ｍ字状に形成される。上側山部２０は、長手部材Ｎ１の前端部から後端部（前側面から後側面）に亘って形成される。上側山部２０は、後述する上側谷部３０を挟んで左右方向に複数（本実施形態では五個）形成される。複数の上側山部２０は、それぞれ第一の山部２１、第二の山部２２及び凹部２３を具備する。なお、複数の上側山部２０は、全て同じように構成される。このため、以下では、図４（ｂ）に拡大して示す第一の山部２１、第二の山部２２及び凹部２３を例に挙げて説明する。
【００３７】
第一の山部２１は、上側山部２０の左部に形成される。第一の山部２１は、上に凸となるような正面視略弧状に形成される。
【００３８】
第二の山部２２は、上側山部２０の右部に形成される。第二の山部２２は、後述する凹部２３を挟んで第一の山部２１と左右対称となるように形成される。
【００３９】
凹部２３は、上側山部２０において、下方向（短手方向）に窪むように形成される部分である。凹部２３は、その先端部（下端部）が正面視略弧状に形成される。凹部２３は、図４（ｂ）に二点鎖線で示す上側山部２０の頂部Ｔ２０が窪んだような形状に形成される。なお、図４（ｂ）に二点鎖線で示す頂部Ｔ２０は、凹部２３が形成されていない場合における上側山部２０の頂部を仮想的に記載したものである。凹部２３は、上側山部２０の左右中央部に形成され、第一の山部２１と第二の山部２２との間に配置される。凹部２３は、その先端部が後述する上側谷部３０よりも高い位置（上方）に配置されるように、その上下方向幅（深さ）が適宜設定される。
【００４０】
上側谷部３０は、長手部材Ｎ１の上側面において、下方向（短手方向）に窪むように形成される部分である。上側谷部３０は、その左部及び右部が左右中途部よりも窪むような正面視略Ｗ字状に形成される。上側谷部３０は、長手部材Ｎ１の前端部から後端部（前側面から後側面）に亘って形成される。上側谷部３０は、上側山部２０と左右方向に連続するように複数（本実施形態では六個）形成される。複数の上側谷部３０は、それぞれ第一の谷部３１、第二の谷部３２及び凸部３３を具備する。なお、複数の上側谷部３０は、全て同じように構成される。このため、以下では、図４（ｂ）に拡大して示す第一の谷部３１、第二の谷部３２及び凸部３３を例に挙げて説明する。
【００４１】
第一の谷部３１は、上側谷部３０の左部に形成される。第一の谷部３１は、下に凸となるような正面視略弧状に形成される。
【００４２】
第二の谷部３２は、上側谷部３０の右部に形成される。第二の谷部３２は、後述する凸部３３を挟んで第一の谷部３１と左右対称となるように形成される。
【００４３】
凸部３３は、上側谷部３０において、上方向（短手方向）に突出するように形成される部分である。凸部３３は、その先端部（上端部）が正面視略弧状に形成される。凸部３３は、図４（ｂ）に二点鎖線で示す上側谷部３０の底部Ｂ３０から突出するように形成される。なお、図４（ｂ）に二点鎖線で示す底部Ｂ３０は、凸部３３が形成されていない場合における上側谷部３０の底部を仮想的に記載したものである。凸部３３は、上側谷部３０の左右中央部に形成され、第一の谷部３１と第二の谷部３２との間に配置される。凸部３３は、その先端部が上側山部２０よりも低い位置（下方）に配置されるように、その上下方向幅（高さ）が適宜設定される。このような凸部３３によって、上側谷部３０においては、窪み（下に凸の部分）が左右に分かれている。
【００４４】
このように構成される上側山部２０及び上側谷部３０は、長手部材Ｎ１の上側面における左端部から右端部に亘って交互に連続するように形成される。
【００４５】
下側山部４０は、長手部材Ｎ１の下側面において、下方向（短手方向）に突出するように形成される部分である。下側山部４０は、その左部及び右部が左右中途部よりも突出するような正面視略Ｗ字状に形成される。下側山部４０は、長手部材Ｎ１の前端部から後端部（前側面から後側面）に亘って形成される。下側山部４０は、後述する下側谷部５０を挟んで左右方向に複数（本実施形態では六個）形成される。複数の下側山部４０は、それぞれ第一の山部４１、第二の山部４２及び凹部４３を具備する。なお、複数の下側山部４０は、全て同じように構成される。このため、以下では、図４（ｂ）に拡大して示す第一の山部４１、第二の山部４２及び凹部４３を例に挙げて説明する。
【００４６】
第一の山部４１は、下側山部４０の左部に形成される。第一の山部４１は、下に凸となるような正面視略弧状に形成される。第一の山部４１は、その上下方向幅（高さ）が上側谷部３０の第一の谷部３１の上下方向幅（深さ）と略同一の幅となるように形成される。また、第一の山部４１は、その左右方向幅が上側谷部３０の第一の谷部３１の左右方向幅と略同一の幅となるように形成される。
【００４７】
第二の山部４２は、下側山部４０の右部に形成される。第二の山部４２は、後述する凹部４３を挟んで第一の山部４１と左右対称となるように形成される。
【００４８】
凹部４３は、下側山部４０において、上方向（短手方向）に窪むように形成される部分である。凹部４３は、その先端部（上端部）が正面視略弧状に形成される。凹部４３は、図４（ｂ）に二点鎖線で示す下側山部４０の頂部Ｔ４０が窪んだような形状に形成される。なお、図４（ｂ）に二点鎖線で示す頂部Ｔ４０は、凹部４３が形成されていない場合における下側山部４０の頂部を仮想的に記載したものである。凹部４３は、下側山部４０の左右中央部に形成され、第一の山部４１と第二の山部４２との間に配置される。凹部４３は、その上下方向幅（深さ）が上側谷部３０の凸部３３の上下方向幅（高さ）と略同一の幅となるように形成される。また、凹部４３は、その左右方向幅が上側谷部３０の凸部３３の左右方向幅と略同一の幅となるように形成される。
【００４９】
このように構成される下側山部４０は、上側谷部３０の下方にそれぞれ配置される。すなわち、下側山部４０は、上側山部２０に対して左右方向にずれた位置に配置される。
【００５０】
下側谷部５０は、長手部材Ｎ１の下側面において、上方向（短手方向）に窪むように形成される部分である。下側谷部５０は、その左部及び右部が左右中途部よりも窪むような正面視略Ｍ字状に形成される。下側谷部５０は、長手部材Ｎ１の前端部から後端部（前側面から後側面）に亘って形成される。下側谷部５０は、下側山部４０と左右方向に連続するように複数（本実施形態では五個）形成される。複数の下側谷部５０は、それぞれ第一の谷部５１、第二の谷部５２及び凸部５３を具備する。なお、複数の下側谷部５０は、全て同じように構成される。このため、以下では、図４（ｂ）に拡大して示す第一の谷部５１、第二の谷部５２及び凸部５３を例に挙げて説明する。
【００５１】
第一の谷部５１は、下側谷部５０の左部に形成される。第一の谷部５１は、上に凸となるような正面視略弧状に形成される。第一の谷部５１は、その上下方向幅（深さ）が上側山部２０の第一の山部２１の上下方向幅（高さ）と略同一の幅となるように形成される。また、第一の谷部５１は、その左右方向幅が上側山部２０の第一の山部２１の左右方向幅と略同一の幅となるように形成される。
【００５２】
第二の谷部５２は、下側谷部５０の右部に形成される。第二の谷部５２は、後述する凸部５３を挟んで第一の谷部５１と左右対称となるように形成される。
【００５３】
凸部５３は、下側谷部５０において、下方向（短手方向）に突出するように形成される部分である。凸部５３は、その先端部（下端部）が正面視略弧状に形成される。凸部５３は、図４（ｂ）に二点鎖線で示す下側谷部５０の底部Ｂ５０から突出するように形成される。なお、図４（ｂ）に二点鎖線で示す底部Ｂ５０は、凸部５３が形成されていない場合における下側谷部５０の底部を仮想的に記載したものである。凸部５３は、下側谷部５０の左右中央部に形成され、第一の谷部５１と第二の谷部５２との間に配置される。凸部５３は、その上下方向幅（高さ）が上側山部２０の凹部２３の上下方向幅（深さ）と略同一の幅となるように形成される。また、凸部５３は、その左右方向幅が上側山部２０の凹部２３の左右方向幅と略同一の幅となるように形成される。このような凸部５３によって、下側谷部５０においては、窪み（上に凸の部分）が左右に分かれている。
【００５４】
このように構成される下側谷部５０は、上側山部２０の下方にそれぞれ配置される。すなわち、下側谷部５０は、上側谷部３０に対して左右方向にずれた位置に配置される。また、下側山部４０及び下側谷部５０は、長手部材Ｎ１の下側面における左端部から右端部に亘って交互に連続するように形成される。
【００５５】
このような下側山部４０は、上側谷部３０と左右方向における位置を合わせて配置される。また、下側谷部５０は、上側山部２０と左右方向における位置を合わせて配置される。これにより、長手部材Ｎ１は、その上側面とその下側面とが略同一形状に形成される。すなわち、長手部材Ｎ１は、左右方向におけるどの部分を見ても上下方向幅Ｗ（上側面から下側面までの上下方向に沿った距離）が同一となるように形成される。
【００５６】
図１に示すように、準備工程が行われた後で、ワッシャ１０の製造方法においては、変形工程が行われる（ステップＳ２０）。変形工程は、長手部材Ｎ１を曲げて変形させる工程である。変形工程において、長手部材Ｎ１は、所定の治具によって拘束される。その後、図５に示すように、右部及び左部が下側（長手部材Ｎ１の下方に配置される点Ｃ側）に曲げられる。これによって、長手部材Ｎ１は、点Ｃを中心とした正面視半円状に塑性変形される。こうして長手部材Ｎ１は、ワッシャ１０として形成される。このようなワッシャ１０の外周面には、上側山部２０及び上側谷部３０が配置される。また、ワッシャ１０の内周面には、下側山部４０及び下側谷部５０が配置される。
【００５７】
このような変形工程が行われるとき、図５及び図６に示すように、長手部材Ｎ１の上側面（ワッシャ１０の外周面）は、ワッシャ１０の周方向に伸張される。このとき、長手部材Ｎ１の上側面においては、上側谷部３０に応力が作用し易い。前述の如く、本実施形態に係る上側谷部３０は、凸部３３によって窪みが左右に分かれている。上側谷部３０においては、このような左右の窪み（第一の谷部３１及び第二の谷部３２）に応力が作用し易い。
【００５８】
このように、長手部材Ｎ１の上側面においては、変形工程で長手部材Ｎ１に作用する応力を左右の窪み（第一の谷部３１及び第二の谷部３２）に分散させることができる。これによれば、ワッシャ１０の応力の集中を分散して変形を助け、変形によるダメージ（伸張と圧縮とが同時に生じることによる内部的なダメージや剥離）を軽減させることができる。
【００５９】
前述の如く、上側谷部３０の第一の谷部３１と第二の谷部３２とは、左右対称となるように形成されている。これによって、第一の谷部３１と第二の谷部３２とに応力をバランスよく分散させることができる。
【００６０】
また、本実施形態に係る上側山部２０は、凹部２３（窪み）を具備している。これによれば、長手部材Ｎ１の上側面において、上側山部２０の凹部２３にも応力が作用し易くなる。これによって、長手部材Ｎ１の上側面において、変形工程で長手部材Ｎ１に作用する応力を凹部２３と第一の谷部３１と第二の谷部３２との三つに分散させることができる。このため、ワッシャ１０の応力を分散して変形を助け、変形によるダメージを軽減させることができる。
【００６１】
また、変形工程が行われるとき、長手部材Ｎ１の下側面（ワッシャ１０の内周面）は、ワッシャ１０の周方向に圧縮される。このとき、長手部材Ｎ１の下側面においては、下側谷部５０に応力が作用し易い。前述の如く、本実施形態に係る下側谷部５０は、凸部５３によって、窪みが左右に分かれている。下側谷部５０においては、このような左右の窪み（第一の谷部５１及び第二の谷部５２）に応力が作用し易い。
【００６２】
このように、長手部材Ｎ１の下側面においては、変形工程で長手部材Ｎ１に作用する応力を左右の窪み（第一の谷部５１及び第二の谷部５２）に分散させることができる。これによれば、ワッシャ１０の応力を分散して変形を助け、変形によるダメージを軽減させることができる。
【００６３】
前述の如く、下側谷部５０の第一の谷部５１と第二の谷部５２とは、左右対称となるように形成されている。これによって、第一の谷部５１と第二の谷部５２とに応力をバランスよく分散させることができる。
【００６４】
また、本実施形態に係る下側山部４０は、凹部４３（窪み）を具備している。これによれば、長手部材Ｎ１の下側面において、下側山部４０の凹部４３にも応力が作用し易くなる。これによって、長手部材Ｎ１の下側面において、変形工程で長手部材Ｎ１に作用する応力を凹部４３と第一の谷部５１と第二の谷部５２との三つに分散させることができる。このため、ワッシャ１０の応力を分散して変形を助け、変形によるダメージを軽減させることができる。
【００６５】
また、本実施形態に係る凹部２３・４３の先端部、第一の谷部３１・５１、第二の谷部３２・５２及び凸部３３・５３の先端部は、正面視略弧状（尖った部分が形成されない形状）に形成されている。これによって、凹部２３・４３の先端部、第一の谷部３１・５１、第二の谷部３２・５２及び凸部３３・５３の先端部それぞれにおいて応力をバランスよく分散させることができる。
【００６６】
また、長手部材Ｎ１は、その下側面に窪み（凹部４３、第一の谷部５１及び第二の谷部５２）が形成されることによって、変形工程時（圧縮時）に前記窪みを埋めるように変形することができる。すなわち、変形工程で外周側に配置される面に前記窪みが形成されることで、変形工程時（圧縮時）の逃げ代を確保することができる。このため、変形工程において、長手部材Ｎ１の下側面を無理なく曲げ変形させることができる。これによれば、ワッシャ１０の前側面及び後側面が盛り上がることを抑制できるため、ワッシャ１０の品質を向上することができる。
【００６７】
以上によってワッシャ１０の製造が完了する。
【００６８】
上記のように製造された一の半円状のワッシャ１０は、他の半円状のワッシャ１０の周方向端部と突き合わせて使用されることもある。この場合、前記一の半円状のワッシャ１０は、例えば、レーザ溶接等の適宜の手段によって他の半円状のワッシャ１０と接合される。当該接合されたワッシャ１０は、円環状に形成され、適宜の部材（例えば、軸部材を支持するハウジング等）に設けられる。この状態で、ワッシャ１０は荷重（例えば、前記軸部材からの軸方向の荷重）を受けることができる。また、ワッシャ１０は、前記軸部材に対して摺動することができる。また、ワッシャ１０には、所定の潤滑油路から潤滑油が供給される。当該潤滑油は、凹部２３・４３、第一の谷部３１・５１及び第二の谷部３２・５２で保持される。
【００６９】
これによれば、凹部２３・４３等を油溜まりとして機能させることができるため、潤滑性を向上することができる。特に、外周面においては、大きく開口した（変形工程で幅が広がった）凹部２３、第一の谷部３１及び第二の谷部３２で多くの潤滑油を保持することができるため、潤滑性を効果的に向上することができる。
【００７０】
本実施形態に係るワッシャ１０の製造方法によれば、変形工程で長手部材Ｎ１を正面視半円状に曲げる（準備工程で正面視半円状や正面視円弧状の部材を準備しなくてよい）ため、準備工程で板状部材Ｎを略直線状に打ち抜くことができる。また、図２に示すように、一つの板状部材Ｎから複数の長手部材Ｎ１を得る場合に、当該複数の長手部材Ｎ１が上下方向に隙間なく並んだ状態で、前記一つの板状部材Ｎを打ち抜くことができる。これによって、板状部材Ｎを無駄なく打ち抜くことができ、材料歩留まりを向上することができる（図２に示すスクラップＳ１及び図９に示すスクラップＳ１０１参照）。
【００７１】
また、本実施形態においては、長手部材Ｎ１の上側面と下側面とが略同一形状に形成されるため、一つの板状部材Ｎから複数の長手部材Ｎ１を得る場合に、複数の長手部材Ｎ１の左端部及び右端部の位置を揃えた状態で、板状部材Ｎを打ち抜くことが可能となる。これによって、板状部材Ｎの左端部及び右端部がスクラップとなることなく板状部材Ｎを打ち抜くことができるため、材料歩留まりを効果的に向上することができる。
【００７２】
前述の如く、図５及び図６に示す長手部材Ｎ１の上側面においては、上側谷部３０の第一の谷部３１及び第二の谷部３２が最も変形し易くなる。すなわち、変形工程においては、上側山部２０ではなく、第一の谷部３１及び第二の谷部３２の底部近傍が主に変形（伸張）することになる。当該部分（第一の谷部３１及び第二の谷部３２の底部近傍）に着目すると、変形工程における変形の曲率半径が、第一の谷部３１及び第二の谷部３２の底部の半径（点Ｃから第一の谷部３１及び第二の谷部３２の底部までの径方向に沿った距離、図６に示す半径Ｒ３１参照）となる。すなわち、前記変形の曲率半径は、第一の山部２１及び第二の山部２２の頂部の半径よりも小さくなる。これによって、外周側の所定箇所（第一の谷部３１及び第二の谷部３２）の曲率を最外周形状（第一の山部２１及び第二の山部２２）の曲率よりも大きくする加工が可能となる。
【００７３】
また、長手部材Ｎ１の下側面においては、下側谷部５０の第一の谷部５１及び第二の谷部５２が最も変形し易くなる。すなわち、変形工程においては、下側山部４０ではなく、第一の谷部５１及び第二の谷部５２の底部近傍が主に変形（圧縮）することになる。当該部分（第一の谷部５１及び第二の谷部５２の底部近傍）に着目すると、変形工程における変形の曲率半径が、第一の谷部５１及び第二の谷部５２の底部の半径（点Ｃから第一の谷部５１及び第二の谷部５２の底部までの径方向に沿った距離、図６に示す半径Ｒ５１参照）となる。すなわち、前記変形の曲率半径は、第一の山部４１及び第二の山部４２の頂部の半径よりも大きくなる。これによって、内周側の所定箇所（第一の谷部５１及び第二の谷部５２）の曲率を最内周形状（第一の山部４１及び第二の山部４２）の曲率よりも小さくする加工が可能となる。
【００７４】
以上のように、本実施形態においては、外周側と内周側との曲率の差を小さくすることができる。これによって、長手部材Ｎ１は、細い部材（上下方向幅Ｗよりも狭い上下方向幅を有する正面視矩形状の部材）を曲げ変形させる場合のように、長手部材Ｎ１を簡単に（小さい力で）曲げ変形させることができる。
【００７５】
前述の如く、本実施形態に係る長手部材Ｎ１（ワッシャ１０）は、前側面と後側面とで金属材料が異なるバイメタル材によって構成されている。この場合、長手部材Ｎ１は、前側面と後側面とで曲げ荷重に対する変形量（伸張量及び圧縮量）が異なる構成となる。このような長手部材Ｎ１が曲げ変形される場合において、上側面が大きく伸張されると共に下側面が大きく圧縮されると、上側面と下側面との変形量の差が大きくなって金属材料が剥離してしまう可能性がある。
【００７６】
本実施形態においては、上側谷部３０によって外周側の曲率を大きくすることで、外周側（上側面）の伸張量を減らすことができる。また、下側谷部５０によって内周側の曲率を小さくすることで、内周面（下側面）の圧縮量を減らすことができる。すなわち、外周側と内周側との曲率の差を小さくすることで、外周側と内周側との変形量の差を小さくすることができるため、バイメタル材の剥離を抑制することができる。
【００７７】
以上の如く、本実施形態に係るワッシャ１０の製造方法は、上側面又は下側面（短手方向の一側面又は他側面）の少なくともいずれか一方に形成される上側山部２０及び下側山部４０（山部）と、当該上側山部２０及び下側山部４０に対して左右方向（長手方向）に連続する上側谷部３０及び下側谷部５０（谷部）とを具備し、当該上側谷部３０及び下側谷部５０に凸部３３・５３が形成される長手部材Ｎ１を準備する準備工程と、前記上側面及び前記下側面が前方向（前記短手方向及び前記長手方向と直交する一方向）から見て円弧状となるように、前記長手部材Ｎ１を変形させる変形工程と、を具備するものである。
【００７８】
このように構成することにより、板状部材Ｎを略直線状に打ち抜いて長手部材Ｎ１を準備することができるため、材料歩留まりを向上することができる。また、第一の谷部３１・５１及び第二の谷部３２・５２に応力を分散させることができるため、ワッシャ１０の応力が分散して変形を助け、変形によるダメージを軽減させることができる。
【００７９】
また、前記準備工程で準備される前記長手部材Ｎ１の前記凸部３３・５３は、前記上側谷部３０及び下側谷部５０の底部Ｂ３０・Ｂ５０に形成されるものである。
【００８０】
このように構成することにより、応力を効果的に分散させることができる。具体的には、底部Ｂ３０・Ｂ５０は、凸部３３・５３が形成されていない場合に上側谷部３０及び下側谷部５０の中で最も応力が集まり易い（作用し易い）部分である。このような底部Ｂ３０・Ｂ５０に凸部３３・５３を形成することで、最も応力が集まり易い部分の応力を、第一の谷部３１・５１及び第二の谷部３２・５２に分散させることができる。これによって、応力を効果的に分散させることができる。
【００８１】
また、前記準備工程で準備される前記長手部材Ｎ１の前記上側谷部３０及び下側谷部５０は、第一の谷部３１・５１及び第二の谷部３２・５２（前記凸部３３・５３と前記短手方向に隣接する部分）が、前記前方向から見て弧状に形成されるものである。
【００８２】
このように構成することにより、第一の谷部３１・５１及び第二の谷部３２・５２に応力をバランスよく分散させることができる。
【００８３】
また、前記準備工程で準備される前記長手部材Ｎ１の前記凸部３３・５３は、先端部が前記前方向から見て弧状に形成されるものである。
【００８４】
このように構成することにより、凸部３３・５３の先端部に応力をバランスよく分散させることができる。
【００８５】
また、前記準備工程で準備される前記長手部材Ｎ１の前記上側山部２０及び下側山部４０には、凹部２３・４３が形成されるものである。
【００８６】
このように構成することにより、凹部２３・４３に応力を分散させることができる。これによって、応力を分散させる部位を増やすことができるため、ワッシャ１０の応力を分散させて変形を助け、変形によるダメージを軽減させることができる。
【００８７】
また、前記準備工程で準備される前記長手部材Ｎ１の前記凹部２３・４３は、先端部が前記前方向から見て弧状に形成されるものである。
【００８８】
このように構成することにより、凹部２３・４３の先端部に応力をバランスよく分散させることができる。
【００８９】
また、前記準備工程で準備される前記長手部材Ｎ１の前記上側面又は前記下側面の少なくともいずれか一方には、複数の前記上側山部２０及び複数の前記上側谷部３０、並びに複数の前記下側山部４０及び複数の前記下側谷部５０が左端部（前記長手方向における一端部）から右端部（他端部）に亘って交互に連続するように形成されるものである。
【００９０】
このように構成することにより、多くの上側谷部３０及び下側谷部５０を具備することが可能となるため、応力を分散させる箇所を増やすことができる。これに伴って、上側山部２０及び下側山部４０を具備する個数も増加するため、多くの上側谷部３０及び下側谷部５０を具備することに起因する前側面及び後側面の面積の減少の影響が小さくなる。以上によれば、ワッシャ１０の応力を分散させて変形を助け、変形によるダメージを軽減させつつ、摺動面積の減少を抑制することができる。
また、本実施形態においては、凹部２３・４３が形成される上側山部２０及び下側山部４０が左端部から右端部に亘って形成されることで、応力を分散させる箇所をさらに増やすことができる。これによれば、ワッシャ１０の応力を分散させて変形を助け、変形によるダメージを軽減させることができる。
【００９１】
また、前記変形工程は、前記上側山部２０及び上側谷部３０、又は前記下側山部４０及び下側谷部５０が少なくとも外周側に配置されるように、前記長手部材Ｎ１を変形させるものである。
【００９２】
このように構成することにより、谷部（上側谷部３０）を変形工程で伸張して（周方向に沿った幅を広げて）潤滑油の保持量を増大させることができる。このため、潤滑性を向上することができる。
【００９３】
また、前記準備工程で準備される前記長手部材Ｎ１の前記上側面及び前記下側面は、上下方向幅Ｗ（前記一側面から前記他側面までの前記短手方向に沿った距離）が、左端部から右端部に亘って一定に形成されるものである。
【００９４】
このように構成することにより、長手部材Ｎ１の中で上下方向幅Ｗが局所的に狭い部分が形成されることを防止できると共に、応力が作用し易い上側谷部３０と下側谷部５０を互いに遠ざけることができる。このため、狭い上下方向幅Ｗでより広い幅をカバーする（上下方向幅Ｗよりも広い幅で前記軸部材に対して摺動する）ことができる。具体的には、ワッシャ１０においては、上側山部２０が外周側に突出するように配置され、下側山部４０が内周側に突出するように配置される。このような上側山部２０及び下側山部４０によれば、ワッシャ１０の最外周から最内周までの径方向に沿った幅を、上下方向幅Ｗよりも広くすることができる。このため、ワッシャ１０は、上側山部２０によって前記軸部材に対してより外周側で摺動することが可能となると共に、下側山部４０によって前記軸部材に対してより内周側で摺動することが可能となる。これによれば、ワッシャ１０は、長手部材Ｎ１の上下方向幅Ｗよりも広い幅で前記軸部材に対して摺動することができる。
【００９５】
また、前記準備工程で準備される前記長手部材Ｎ１は、異なる複数の金属材料からなるバイメタル材によって構成されるものである。
【００９６】
このように構成することにより、金属材料が剥離することを抑制できる。具体的には、バイメタル材は、上側面と下側面との変形量の差が大きいと金属材料が剥離してしまう可能性がある。本実施形態に係る長手部材Ｎ１は、上側谷部３０及び下側谷部５０を具備することで、上側面と下側面との曲率の差を小さくして、上側面と下側面との変形量の差が小さくなるようにしている。これによって、金属材料が剥離することを抑制できる。
【００９７】
また、本実施形態に係るワッシャ１０は、外周面又は内周面の少なくともいずれか一方の面に形成される上側山部２０及び下側山部４０と、当該上側山部２０及び下側山部４０に対して周方向に連続すると共に凸部３３・５３が形成される上側谷部３０及び下側谷部５０と、を具備するものである。
【００９８】
このように構成することにより、板状部材Ｎを略直線状に打ち抜いて準備された長手部材Ｎ１からワッシャ１０を形成することが可能となるため、材料歩留まりを向上することができる。
【００９９】
なお、本実施形態に係る上側山部２０及び下側山部４０は、本発明に係る山部の実施の一形態である。
また、本実施形態に係る上側谷部３０及び下側谷部５０は、本発明に係る谷部の実施の一形態である。
また、本実施形態に係る第一の谷部３１・５１及び第二の谷部３２・５２は、本発明に係る凸部と長手方向に隣接する部分の実施の一形態である。
また、本実施形態に係る長手部材Ｎ１の上側面は、本発明に係る長手部材の一側面の実施の一形態である。
また、本実施形態に係る長手部材Ｎ１の下側面は、本発明に係る長手部材の他側面の実施の一形態である。
また、本実施形態における上下方向は、本発明に係る短手方向に対応する。
また、本実施形態における左右方向は、本発明に係る長手方向に対応する。
また、本実施形態における前方向は、本発明に係る一方向に対応する。
【０１００】
以上、本発明の実施形態を説明したが、本発明は上記構成に限定されるものではなく、特許請求の範囲に記載された発明の範囲内で種々の変更が可能である。
【０１０１】
例えば、ワッシャ１０は、正面視半円状に形成されるものとしたが、本発明に係るワッシャの形状はこれに限定されるものでない。本発明に係るワッシャは、中心角が９０°若しくは６０°のような形状で正面視円弧状に形成されるものであってもよい。
【０１０２】
また、本実施形態に係る準備工程においては、板状部材Ｎの左端部及び右端部がスクラップとならないように打ち抜くものとしたが、これに限定されるものでない。すなわち、本発明に係る準備工程においては、例えば、製造上若しくはワッシャ１０の設計上必要な場合に、板状部材Ｎの左端部及び右端部がスクラップとなるように打ち抜いてもよい。
【０１０３】
また、本実施形態に係る長手部材Ｎ１は、上側面及び下側面に山部及び谷部が形成されるものとしたが、本発明に係る長手部材は、上側面又は下側面の少なくともいずれか一方の面に、山部及び谷部が形成されていればよい。
【０１０４】
また、本実施形態係る変形工程においては、長手部材Ｎ１の右部及び左部を下側に曲げるものとしたが、本発明に係る変形工程において長手部材Ｎ１を曲げる方向は、長手部材Ｎ１の下側に限定されるものでなく、長手部材Ｎ１の上側であってもよい。このような曲げる方向は、例えば、山部や谷部の数等に応じて決定される。仮に、長手部材Ｎ１を上側に曲げる場合も、本実施形態と同様に第一の谷部３１・５１及び第二の谷部３２・５２に応力を分散させることができる。なお、この場合、長手部材Ｎ１の上側面は、ワッシャ１０の周方向に圧縮される。また、長手部材Ｎ１の下側面は、ワッシャ１０の周方向に伸張される。すなわち、この場合、変形工程において伸張する面と圧縮される面とが本実施形態とは逆転する。
【０１０５】
また、本実施形態に係る上側山部２０及び上側谷部３０、並びに下側山部４０及び下側谷部５０は、長手部材Ｎ１の左端部から右端部に亘って形成されるものとしたが、本発明に係る山部及び谷部が形成される範囲はこれに限定されるものでない。本発明に係る山部及び谷部は、長手部材Ｎ１の左右中央部にのみ形成されるものであってもよい。このような場合において、長手部材Ｎ１の左右中央部を除く部分は平らな形状に形成されるものであってもよい。
【０１０６】
また、本実施形態に係る凸部３３・５３は、上側谷部３０及び下側谷部５０の底部Ｂ３０・Ｂ５０に形成される（底部Ｂ３０・Ｂ５０から突出する）ものとしたが、本発明に係る凸部が形成される場所は、これに限定されるものでない。すなわち、底部Ｂ３０・Ｂ５０以外の部分（底部Ｂ３０・Ｂ５０から左右にずれた位置）に形成してもいい。例えば、底部Ｂ３０・Ｂ５０の左方でもいいし、上側谷部３０及び下側谷部５０の右端部でもいい。
【０１０７】
また、本実施形態に係る凹部２３・４３は、上側山部２０及び下側山部４０の頂部Ｔ２０・Ｔ４０に形成される（頂部Ｔ２０・Ｔ４０が窪んだような形状に形成される）ものとしたが、本発明に係る凹部が形成される場所は、これに限定されるものでない。すなわち、頂部Ｔ２０・Ｔ４０以外の部分（頂部Ｔ２０・Ｔ４０から左右にずれた位置）に形成してもいい。例えば、頂部Ｔ２０・Ｔ４０の左方でもいいし、上側山部２０及び下側山部４０の右端部でもいい。
【０１０８】
また、本実施形態においては、一つの谷部（上側谷部３０及び下側谷部５０）に一つの凸部（凸部３３・５３）が形成されるものとしたが、本発明に係る谷部に形成される凸部の個数は、これに限定されるものでなく、一つの谷部に複数の凸部が形成されるものであってもよい。
【０１０９】
また、本実施形態においては、一つの山部（上側山部２０及び下側山部４０）に一つの凹部（凹部２３・４３）が形成されるものとしたが、本発明に係る山部に形成される凹部の個数は、これに限定されるものでなく、一つの山部に複数の凹部が形成されるものであってもよい。
【０１１０】
また、本実施形態において、上側山部２０の下方に下側谷部５０が配置されると共に、上側谷部３０の下方に下側山部４０が配置されるものとしたが、本発明に係る山部及び谷部の位置関係はこれに限定されるものでない。本発明に係る山部及び谷部は、例えば、図７に示す第一変形例に係る長手部材Ｎ１０１のように、上側山部１２０の下方に下側山部１４０が配置されると共に、上側谷部１３０の下方に下側谷部１５０が配置されるものであってもよい。これによれば、本実施形態に係る長手部材Ｎ１を曲げ変形させる場合よりも小さい力で長手部材Ｎ１０１を曲げ変形させることができる。
【０１１１】
また、本実施形態に係る凹部２３・４３及び凸部３３・５３は、その先端部が正面視略弧状に形成されるものとしたが、本発明に係る凹部及び凸部の形状はこれに限定されるものでない。本発明に係る凹部及び凸部は、例えば、図８（ａ）に示す第二変形例に係る長手部材Ｎ２０１の凹部２２３・２４３及び凸部２３３・２５３のような正面視略矩形状とすることも可能である。
【０１１２】
また、第一の山部２１・４１、第二の山部２２・４２の形状は、本実施形態のような正面視略弧状に限定されるものでない。第一の山部及び第二の山部は、例えば、図８（ｂ）に示す第三変形例に係る長手部材Ｎ３０１の第一の山部３２１・３４１及び第二の山部３２２・３４２のように直線状の頂部を有するような形状であってもよい。
【０１１３】
また、第一の谷部３１・５１及び第二の谷部３２・５２の形状は、本実施形態のような正面視略弧状に限定されるものでない。第一の谷部及び第二の谷部は、例えば、図８（ｂ）に示す第三変形例に係る第一の谷部３３１・３５１及び第二の谷部３３２・３５２のように直線状の底部を有するような形状であってもよい。
【０１１４】
また、本実施形態に係る複数の上側山部２０（複数の下側山部４０）は、互いに同一形状であるものとしたが、本発明に係る複数の山部の形状は、互いに異なる形状であってもよい。本発明に係る複数の山部は、例えば、図８（ｃ）に示す第四変形例に係る長手部材Ｎ４０１のような構成とすることも可能である。第四変形例に係る上側山部は、本実施形態に係る上側山部２０と第三変形例に係る上側山部３２０とによって構成される。第四変形例に係る下側山部は、本実施形態に係る下側山部４０と第三変形例に係る下側山部３４０とによって構成される。
【０１１５】
また、本実施形態に係る複数の上側谷部３０（複数の下側谷部５０）は、互いに同一形状であるものとしたが、本発明に係る複数の谷部の形状は、互いに異なる形状であってもよい。本発明に係る複数の谷部は、例えば、図８（ｃ）に示す第四変形例に係る長手部材Ｎ４０１のような構成とすることも可能である。第四変形例に係る上側谷部は、本実施形態に係る上側谷部３０と第三変形例に係る上側谷部３３０とによって構成される。第四変形例に係る下側谷部は、本実施形態に係る下側谷部５０と第三変形例に係る下側谷部３５０とによって構成される。
【０１１６】
また、本実施形態に係る上側山部２０及び下側山部４０には、それぞれ凹部２３・４３が形成されるものとしたが、本発明に係る山部は、これに限定されるものでなく、凹部２３・４３が形成されていなくてもよい。
【０１１７】
また、本実施形態に係る長手部材Ｎ１は、二種類の金属材料を貼り合わせたバイメタル材によって構成されるものとしたが、本発明に係るバイメタル材の金属材料の数はこれに限定されるものでない。本発明に係るバイメタル材は、三種類以上の金属材料を貼り合わせたものであってもよい。また、本発明に係る長手部材Ｎ１を構成するための材料はバイメタル材に限定されるものでなく、適宜の（一種類の）金属材料等によって構成されていてもよい。
【符号の説明】
【０１１８】
１０  ワッシャ
２０  上側山部（山部）
３０  上側谷部（谷部）
３３  凸部
４０  下側山部（山部）
５０  下側谷部（谷部）
５３  凸部
Ｎ１  長手部材
【図１】
0006619984.tif 000002
【図２】
0006619984.tif 000003
【図３】
0006619984.tif 000004
【図４】
0006619984.tif 000005
【図５】
0006619984.tif 000006
【図６】
0006619984.tif 000007
【図７】
0006619984.tif 000008
【図８】
0006619984.tif 000009
【図９】
0006619984.tif 000010